【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
系統の配電線に接続され当該配電線の電圧を制御する電圧制御機器を制御するローカル電圧制御装置と通信ネットワークを介して接続された集中電圧制御装置であって、
受信される前記配電線の各点における電圧の計測値に基づいて、前記配電線の制御目標電圧を決定する制御目標決定部と、
前記配電線の適正電圧範囲の上下限値と前記配電線の電圧の変動幅と前記制御目標電圧とに基づいて、適正電圧範囲の上限側の裕度である第１の電圧裕度と、前記制御目標電圧と適正電圧範囲の下限側の裕度である第２の電圧裕度とを算出する裕度算出部と、
前記第１の電圧裕度に基づいて前記ローカル電圧制御装置へ指令する制御目標範囲の上限値を決定し、前記第２の電圧裕度に基づいて、前記ローカル電圧制御装置へ指令する制御目標範囲の下限値を決定する電圧上下限値決定部と、
前記制御目標範囲の上限値および下限値を定めるための情報を前記ローカル電圧制御装置へ送信する通信部と、
を備えることを特徴とする集中電圧制御装置。
【請求項２】
無効電力調整型の前記電圧制御機器を制御する前記ローカル電圧制御装置に指令する前記制御目標範囲の上限値および下限値を第１の周期で決定し、変圧器型の前記電圧制御機器を制御する前記ローカル電圧制御装置に指令する前記制御目標範囲の上限値および下限値を前記第１の周期より長い第２の周期で決定することを特徴とする請求項１に記載の集中電圧制御装置。
【請求項３】
前記第１の電圧裕度の最小値である第１の最小値を求め、前記第１の最小値に対応する計測点の前記変動幅と前記電圧制御機器に対応する計測点の前記変動幅とを用いて、前記第１の最小値を前記電圧制御機器に対応する計測点における電圧裕度に換算した値である第１の換算電圧裕度を算出し、前記第２の電圧裕度の最小値である第２の最小値を求め、前記第２の最小値に対応する計測点の前記変動幅と前記電圧制御機器に対応する計測点の前記変動幅とを用いて、前記第２の最小値を前記電圧制御機器に対応する計測点における電圧裕度に換算した値である第２の換算電圧裕度を算出する電圧値換算部、
を備え、
電圧上下限値決定部は、前記電圧制御機器に対応する計測点の前記制御目標電圧に前記第１の換算電圧裕度を加算した値を前記電圧制御機器に対応する前記制御目標範囲の上限値と決定し、前記電圧制御機器に対応する計測点の前記制御目標電圧から前記第２の換算電圧裕度を減算した値を前記電圧制御機器に対応する前記制御目標範囲の下限値と決定することを特徴とする請求項１または２に記載の集中電圧制御装置。
【請求項４】
系統の配電線に接続される電圧制御機器を制御して前記配電線の電圧を制御する複数のローカル電圧制御装置と通信ネットワークを介して接続される集中電圧制御装置であって、
受信される前記配電線の各点の電圧計測値、および前記配電線の適正電圧範囲の上下限値に基づいて、前記複数のローカル電圧制御装置のうちの第１のローカル電圧制御装置における前記配電線の電圧の制御目標範囲を算出し、前記複数のローカル電圧制御装置のうちの第２のローカル電圧制御装置における前記配電線の電圧の制御目標範囲を、前記第１のローカル電圧制御装置における制御目標範囲、前記第１のローカル電圧制御装置が制御する前記配電線の電圧の変動幅、および前記第２のローカル電圧制御装置が制御する前記配電線の電圧の変動幅に基づいて算出する目標決定部と、
前記目標決定部の算出結果に基づいて、前記制御目標範囲の上限値および下限値を定めるための情報を前記ローカル電圧制御装置へ送信する通信部と、
を備えることを特徴とする集中電圧制御装置。
【請求項５】
前記第２のローカル電圧制御装置における制御目標範囲は、前記第１のローカル電圧制御装置と前記第２のローカル電圧制御装置との間の配電線のインピーダンスを用いずに、前記第１のローカル電圧制御装置における制御目標範囲から算出することを特徴とする請求項４に記載の集中電圧制御装置。
【請求項６】
前記制御目標範囲の上限値および下限値を定めるための情報は、当該制御目標範囲の上限値と下限値の間の幅を変化させるためのものであることを特徴とする請求項１から５のいずれか１つに記載の集中電圧制御装置。
【請求項７】
配電線の電圧を計測する計測部と、
前記配電線の各計測点における電圧を計測する計測装置およびローカル電圧制御装置から受信した前記配電線の各点における電圧の計測値に基づいて、前記配電線の制御目標電圧を決定し、前記配電線の適正電圧範囲の上下限値と前記配電線の電圧の変動幅と前記制御目標電圧とに基づいて、適正電圧範囲の上限側の裕度である第１の電圧裕度と、前記制御目標電圧と適正電圧範囲の下限側の裕度である第２の電圧裕度とを算出し、第１の電圧裕度に基づいて前記ローカル電圧制御装置へ指令する制御目標範囲の上限値を決定し、前記第２の電圧裕度に基づいて前記ローカル電圧制御装置へ指令する制御目標範囲の下限値を決定し、前記ローカル電圧制御装置へ指令する集中電圧制御装置へ、前記計測部により計測された電圧を送信する通信部と、
を備えることを特徴とする計測装置。
【請求項８】
電圧制御機器が計測した配電線の電圧の計測値を取得する計測値取得部と、
前記配電線の各計測点における電圧を計測する計測装置およびローカル電圧制御装置から受信した前記配電線の各点における電圧の計測値に基づいて、前記配電線の制御目標電圧を決定し、前記配電線の適正電圧範囲の上下限値と前記配電線の電圧の変動幅と前記制御目標電圧とに基づいて、適正電圧範囲の上限側の裕度である第１の電圧裕度と、前記制御目標電圧と適正電圧範囲の下限側の裕度である第２の電圧裕度とを算出し、第１の電圧裕度に基づいて前記ローカル電圧制御装置へ指令する制御目標範囲の上限値を決定し、前記第２の電圧裕度に基づいて前記ローカル電圧制御装置へ指令する制御目標範囲の下限値を決定し、前記ローカル電圧制御装置へ指令する集中電圧制御装置へ、前記計測値取得部により取得された電圧の計測値を送信し、前記集中電圧制御装置から制御目標電圧の上下限を定めるための情報である指令値を受信する通信部と、
前記指令値に基づいて前記電圧制御機器の電圧を制御する機器制御部と、
を備えることを特徴とする電圧制御装置。
【手続補正２】
【補正対象書類名】明細書
【補正対象項目名】０００８
【補正方法】変更
【補正の内容】
【０００８】
上述した課題を解決し、目的を達成するために、本発明の集中電圧制御装置は、系統の配電線に接続され当該配電線の電圧を制御する電圧制御機器を制御するローカル電圧制御装置と通信ネットワークを介して接続された集中電圧制御装置であって、受信される配電線の各点における電圧の計測値に基づいて、配電線の制御目標電圧を決定する制御目標決定部と、配電線の適正電圧範囲の上下限値と配電線の電圧の変動幅と制御目標電圧とに基づいて、適正電圧範囲の上限側の裕度である第１の電圧裕度と、制御目標電圧と適正電圧範囲の下限側の裕度である第２の電圧裕度とを算出する裕度算出部とを備える。また、集中電圧制御装置は、第１の電圧裕度に基づいてローカル電圧制御装置へ指令する制御目標範囲の上限値を決定し、第２の電圧裕度に基づいて、ローカル電圧制御装置へ指令する制御目標範囲の下限値を決定する電圧上下限値決定部と、制御目標範囲の上限値および下限値を定めるための情報をローカル電圧制御装置へ送信する通信部と、を備える。